(57)【要約】【課題】本発明では、開口部の大きさに関らず、優れた止水性能を得ることができるとともに、液体の出し入れを容易に行うことができる湯たんぽの提供を目的とする。【解決手段】  内部空間に液体を貯溜する湯たんぽ本体１１と、該湯たんぽ本体１１に形成した開口部１３を開閉する開閉手段１２と、該開閉手段１２を上記湯たんぽ本体１１に係止する係止手段１５とで構成し、上記係止手段１５を、上記湯たんぽ本体１１、及び、上記開閉手段１２のうち少なくとも一方の側に備えた湯たんぽ１０。【選択図】図１
2010213762.tif 000002
【特許請求の範囲】
【請求項１】
内部空間に液体を貯溜する湯たんぽ本体と、該湯たんぽ本体に形成した開口部を開閉する開閉手段と、該開閉手段を上記湯たんぽ本体に係止する係止手段とで構成し、
上記係止手段を、上記湯たんぽ本体、及び、上記開閉手段のうち少なくとも一方の側に備えた
湯たんぽ。
【請求項２】
上記開閉手段を、上記湯たんぽ本体の外面を成す少なくとも一部分として構成した
請求項１に記載の湯たんぽ。
【請求項３】
上記開口部を、上記湯たんぽ本体の外面の少なくとも一部分を構成する構成面に、該構成面の３分の１以上の大きさで構成した
請求項１、又は、２に記載の湯たんぽ。
【請求項４】
上記開閉手段を、
上記湯たんぽ本体の外面に対して略直角に出し入れする引出し開閉部材、
上記湯たんぽ本体の外面に対して略平行にスライドするスライド開閉蓋、及び、
上記湯たんぽ本体の外面に対して枢動する枢動開閉蓋
のうち少なくとも１つで構成した
請求項１から３のいずれかに記載の湯たんぽ。
【請求項５】
上記枢動開閉蓋に、上記湯たんぽ本体の外面と、該外面に対して外方向に枢動させた上記枢動開閉蓋との間の側方開放部分を閉塞する側方閉塞部を備えた
請求項４に記載の湯たんぽ。
【請求項６】
上記開閉手段を、外側開閉蓋と、該外側開閉蓋の内側に備えた内側開閉蓋とで構成した
請求項１から５のいずれかに記載の湯たんぽ。
【請求項７】
上記内側開閉蓋、及び、上記外側開閉蓋のうち一方の側を、
上記湯たんぽ本体の外面に対して略直角に出し入れする引出し開閉部材、或いは、上記湯たんぽ本体の外面に対して略平行にスライドするスライド開閉蓋で形成し、上記内側開閉蓋、及び、上記外側開閉蓋のうち他方の側を、
上記湯たんぽ本体の外面に対して枢動する枢動開閉蓋で形成した
請求項６に記載の湯たんぽ。
【請求項８】
上記湯たんぽ本体を、
外側湯たんぽ本体と、該外側湯たんぽ本体の内側に設けられ、内部空間に液体を貯溜する内側湯たんぽ本体とで構成し、
上記開口部を、
上記外側湯たんぽ本体に形成した外側開口部と、上記内側湯たんぽ本体に形成した内側開口部とで構成し、
上記開閉手段を、
上記外側開口部を開閉する外側開閉蓋と、上記内側開口部を開閉する内側開閉蓋とで構成し、
上記係止手段を、上記外側開閉蓋を係止する外側係止手段と、上記内側開閉蓋を係止する内側係止手段とで構成し、
上記外側開閉蓋に、上記内側開閉蓋を外側から規制する内側開閉蓋規制手段を備えた
請求項１から５のいずれかに記載の湯たんぽ。
【請求項９】
上記外側湯たんぽ本体の外面に通気部を備えた
請求項８に記載の湯たんぽ。
【発明の詳細な説明】
【技術分野】
【０００１】
この発明は、湯たんぽ本体内部に高温或いは低温の液体を封入し、温め効果、或いは冷却効果を得ることのできる湯たんぽに関し、液体の出し入れを容易に行うことができる湯たんぽに関する。
【背景技術】
【０００２】
従来より存在する湯たんぽは、湯たんぽ本体に蓋（栓）を螺合により取り付ける構成のものが一般的である。これは、螺合の締結力を利用することにより蓋を湯たんぽ本体に対してしっかりと取り付けることができ、優れた止水性能を得ることができるからである。
【０００３】
例えば、下記特許文献１における「湯たんぽ」は、開口部を大きく構成し、該開口部を閉塞するための大きな蓋を備えたものであるが、このような大きな蓋も湯たんぽ本体に対して螺合により取り付ける構成である。  
なお、上記「湯たんぽ」は、内部に金属製の発熱板を備えた構成であり、上記発熱体を湯たんぽ内部に挿入できるよう開口部を大きく構成している。
【０００４】
しかし、特許文献１における「湯たんぽ」も含め、従来から存在する湯たんぽは、蓋を螺合による締結力を利用して湯たんぽ本体に対して取り付ける構成であるため、蓋を開閉する度に、蓋を複数回、回動する操作が必要となり、液体を出し入れする際に面倒であるという難点を有する。
【先行技術文献】
【特許文献】
【０００５】
【特許文献１】実用新案登録第３１３６９６５号公報
【発明の概要】
【発明が解決しようとする課題】
【０００６】
そこで本発明では、開口部の大きさに関らず、優れた止水性能を得ることができるとともに、液体の出し入れを容易に行うことができる湯たんぽの提供を目的とする。
【課題を解決するための手段】
【０００７】
本発明は、内部空間に液体を貯溜する湯たんぽ本体と、該湯たんぽ本体に形成した開口部を開閉する開閉手段と、該開閉手段を上記湯たんぽ本体に係止する係止手段とで構成し、上記係止手段を、上記湯たんぽ本体、及び、上記開閉手段のうち少なくとも一方の側に備えたことを特徴とする。
【０００８】
上記構成により、上記係止手段を係脱するだけで上記開閉手段を湯たんぽ本体に対して着脱することができる。  
従って、蓋を螺合により閉めるタイプの湯たんぽのように開閉の度に、蓋を繰り返し回すといった開閉操作を行う必要がなく、容易に開閉操作を行うことができる。
【０００９】
上記係止手段は、上記湯たんぽ本体に対して蓋を強固に係止することができるため、不測に蓋が外れることがなく優れた止水性能を得ることができる。
【００１０】
ここで、上記開閉手段は、例えば、湯たんぽ本体に対して着脱（取り付け、或いは、取り外す）することで開口部を開閉可能とする構成、又は、湯たんぽ本体に対して枢動、或いは、スライドさせることにより可動させて開口部を開閉可能とする構成を挙げることができる。但し、上記開閉手段は、該開閉手段自体を回動させて螺合したり、螺合を解除することにより開口部を開閉する構成は含まない概念とする。
【００１１】
また、上記係止手段は、具体的には、バックルなど湯たんぽ本体と開閉手段とを係止可能に形成した、例えば、凹状、或いは、凸状の係止部を挙げることができる。但し、上記係止手段には、開閉手段を螺合による締結を利用して湯たんぽ本体に対して取り付ける螺合式の構成は含まない概念とする。  
この発明の態様として、上記開閉手段を、上記湯たんぽ本体の外面を成す少なくとも一部分として構成することができる。
【００１２】
上記構成により、上記開閉手段が湯たんぽ本体の外面と一体的な連続形状で構成できるため、開閉手段が外面に対して部分的に突出せず、人体が湯たんぽ本体に接触したとき、快適に使用することができる。
【００１３】
ここで上記湯たんぽ本体の外面を構成する少なくとも一部分として構成するとは、例えば、上記開閉手段を、開閉手段が湯たんぽ本体の外面の一部として略面一に構成することを示す。さらに、上記開閉手段を、例えば、上記湯たんぽ本体の、例えば、上面や側面といった形状が連続する面全体に構成することも含む。
【００１４】
またこの発明の態様として、上記開口部を、上記湯たんぽ本体の外面の少なくとも一部分を構成する構成面に、該構成面の３分の１以上の大きさで構成することができる。
【００１５】
上記構成により、湯たんぽの開口部を大きく形成することができ、該開口部を通じて湯たんぽ本体の内部に対して液体の出し入れをスムーズに行うことができる。
【００１６】
さらに、このように大きな開口部で形成しても、該開口部を閉塞可能な開閉手段を係止手段によりしっかりと係止することにより、優れた止水性能を確保することができ、係止手段を係脱することにより開閉手段の開閉を容易に行うことができる。
【００１７】
ここで、上記湯たんぽ本体の外面の少なくとも一部分を構成する構成面とは、上記湯たんぽ本体の外面のうち、例えば、上面や側面といった連続する形状を構成する面を示す。
【００１８】
さらに、上記開口部を、上記構成面の３分の１以上の大きさで構成するのは、従来の蓋を螺合により閉める一般的なタイプの湯たんぽには、口径が例えばφ１００ｍｍといった広口タイプのものも存在するが、このような口径よりも大きな開口部でも構成し得るからである。すなわち、本願発明の開閉手段を備えた構成であれば、十分な止水性能を確保することができる、さらに、開閉操作や製造のし易さといった観点から、このような上記構成面の３分の１以上の大きさを占める大きな開口部を実現することができるからである。
【００１９】
またこの発明の態様として、上記開閉手段を、上記湯たんぽ本体の外面に対して略直角に出し入れする引出し開閉部材、上記湯たんぽ本体の外面に対して略平行にスライドするスライド開閉蓋、及び、上記湯たんぽ本体の外面に対して枢動する枢動開閉蓋のうち少なくとも１つで構成することができる。
【００２０】
上記構成により、引出し開閉部材、スライド開閉蓋、枢動開閉蓋は、上記湯たんぽ本体の外面に対してそれぞれ略直角に出し入れする、略平行にスライドする、枢動させるだけで、開閉操作を行うことができ、例えば、蓋を螺合式のように複数回、回動する手間を要さず、開閉手段が大きくても開口部をスムーズに開閉することができる。
【００２１】
またこの発明の態様として、上記枢動開閉蓋に、上記湯たんぽ本体の外面と、該外面に対して外方向に枢動させた上記枢動開閉蓋との間の側方開放部分を閉塞する側方閉塞部を備えることができる。
【００２２】
上記構成により、湯たんぽ本体に対して流体を出し入れする際に枢動開閉蓋の側方から流体が外側へ流れ出ないようガイドすることができるため、湯たんぽ本体に対して流体をスムーズ、且つ、安全に出し入れすることができる。
【００２３】
またこの発明の態様として、上記開閉手段を、外側開閉蓋と、該外側開閉蓋の内側に備えた内側開閉蓋とで構成することができる。
【００２４】
上記構成により、上記開閉手段は、外側開閉蓋と内側開閉蓋との少なくとも２重構造であるため、万一にも外側開閉蓋と内側開閉蓋とのうち一方の開閉蓋が開いても、他方の開閉蓋が湯たんぽ本体の内部空間に貯溜した流体が外部へ漏れ出すことを阻止することができる。
【００２５】
よって、止水性を高めて使用時においても流体が漏れ出すことを確実に防ぐことができる。
【００２６】
またこの発明の態様として、上記内側開閉蓋、及び、上記外側開閉蓋のうち一方の側を、上記湯たんぽ本体の外面に対して略直角に出し入れする引出し開閉部材、或いは、上記湯たんぽ本体の外面に対して略平行にスライドするスライド開閉蓋で形成し、上記内側開閉蓋、及び、上記外側開閉蓋のうち他方の側を、上記湯たんぽ本体の外面に対して枢動する枢動開閉蓋で形成することができる。
【００２７】
詳しくは、上記内側開閉蓋、及び、上記外側開閉蓋のうち一方の側を、スライドにより可動して開口部を開閉することができる引出し開閉部材、或いは、スライド開閉蓋で形成している。
【００２８】
一方、上記内側開閉蓋、及び、上記外側開閉蓋のうち他方の側を、枢動により可動して開口部を開閉することができる枢動開閉蓋で形成している。
【００２９】
このように上記内側開閉蓋、上記外側開閉蓋とを、スライドによる可動、枢動による可動という相互に異なる可動方式の組合せで構成することにより、万一にも、不測の力が作用して一方の開閉蓋が開いても、他方の開閉蓋は、一方の開閉蓋と同じ可動方向へ可動しないため、双方の開閉蓋が不測に開いてしまうことがない。よって、流体が開口部から流出することを確実に防止することができる。
【００３０】
またこの発明の態様として、上記湯たんぽ本体を、外側湯たんぽ本体と、該外側湯たんぽ本体の内側に設けられ、内部空間に液体を貯溜する内側湯たんぽ本体とで構成し、上記開口部を、上記外側湯たんぽ本体に形成した外側開口部と、上記内側湯たんぽ本体に形成した内側開口部とで構成し、上記開閉手段を、上記外側開口部を開閉する外側開閉蓋と、上記内側開口部を開閉する内側開閉蓋とで構成し、上記係止手段を、上記外側開閉蓋を係止する外側係止手段と、上記内側開閉蓋を係止する内側係止手段とで構成し、上記外側開閉蓋に、上記内側開閉蓋を外側から規制する内側開閉蓋規制手段を備えることができる。
【００３１】
上記構成により、外側開閉蓋は、外側開口部を閉塞するとともに、内側開閉蓋規制手段を備えることにより、該内側開閉蓋規制手段により内側開閉蓋が開かないよう外側から規制することもできる。
【００３２】
詳しくは、内側開閉蓋は、内側係止手段により内側湯たんぽ本体に対して係止することができる。一方、外側開閉蓋は、外側係止手段により外側湯たんぽ本体に対して係止することができるとともに、この外側係止手段の係止力は、内側開閉蓋規制手段を介して内側開閉蓋が不測に開かないよう作用することができる。  
よって、内側係止手段は、内側開閉蓋規制手段を介して外側係止手段と協働で内側開閉蓋を内側湯たんぽ本体に対してしっかりと係止することができる。
【００３３】
さらにまた、外側湯たんぽ本体と内側湯たんぽ本体との間に空気層を介在することができるため、液体が貯溜した内側湯たんぽ本体の外面に対して人体が直に接触することがなく、空気層を介して外側湯たんぽ本体の外面に人体が接触するため、人体の接触部分を過度に冷やしたり温めすぎることを防ぐことができる。
【００３４】
特に、流体が湯である場合、空気層により熱を緩和することができるため、低温火傷を防止することができる。
【００３５】
またこの発明の態様として、上記外側湯たんぽ本体の外面に通気部を備えることができる。
【００３６】
上記構成により、外側湯たんぽ本体の内側と外側とが通気部を通じて連通するため、内側湯たんぽ本体から内側湯たんぽ本体と外側湯たんぽ本体との間に有する空気層へ伝導した熱を通気部を通じて外側湯たんぽを外側へ効率的に伝導することができる。  
よって、低温火傷を防ぎつつ、人体を効率よく温めることができる。
【発明の効果】
【００３７】
本発明では、開口部の大きさに関らず、優れた止水性能を得ることができるとともに、液体の出し入れを容易に行うことができる湯たんぽを提供することができる。
【図面の簡単な説明】
【００３８】
【図１】第一実施形態の湯たんぽの外観、及び、断面で示した構成説明図。
【図２】第一実施形態の湯たんぽを変形した他の実施形態の構成説明図。
【図３】第二実施形態の湯たんぽの外観、及び、要部断面で示した構成説明図。
【図４】第三実施形態の湯たんぽの作用説明図。
【図５】第三実施形態の湯たんぽの外観図。
【図６】第三実施形態の湯たんぽの断面図。
【図７】第三実施形態の湯たんぽの作用説明図。
【図８】第四実施形態の湯たんぽの外観図。
【図９】第四実施形態の湯たんぽの断面図。
【発明を実施するための形態】
【００３９】
この発明の一実施形態を、以下図面を用いて説明する。  
（第一実施形態）  
第一実施形態における湯たんぽ１０は、図１（ａ），（ｂ）に示すように上面に蓋１２を有した箱型で構成している。  
なお、図１（ａ）は、蓋１２を仮想線で示した第一実施形態における湯たんぽ１０の外観図であり、図１（ｂ）は、上記湯たんぽ１０の長手方向に対する中央縦断面図である。
【００４０】
湯たんぽ１０は、全体を熱伝導性に優れた熱伝導性材料で構成し、上面全体が開口した有底箱型形状の湯たんぽ本体１１を備えている。  
なお、湯たんぽ本体１１は、略直方体をした角部分には、曲面加工を施して形成している。
【００４１】
湯たんぽ本体１１は、図１（ｂ）に示すように、上記湯たんぽ１０の外殻を構成する外側湯たんぽ本体１１ｏと、該外側湯たんぽ本体１１ｏの内側に収容され、内部空間Ａに水などの液体を貯溜可能な内側湯たんぽ本体１１ｉとで一体に構成している。
【００４２】
内側湯たんぽ本体１１ｉは、外側湯たんぽ本体１１ｏの底面中央部に配置している。さらに、外側湯たんぽ本体１１ｏの側面と内側湯たんぽ本体１１ｉの側面の間には、これら間を連結する複数の補強用のリブ１９を設けている。
【００４３】
外側湯たんぽ本体１１ｏと内側湯たんぽ本体１１ｉとの間には、これら間に間隔が構成されるよう間隔構成空間Ｂを備えている。間隔構成空間Ｂには、空気が充満されている。
【００４４】
湯たんぽ１０は、上面全体が開口した開口部１３を備えている。上記開口部１３は、外側湯たんぽ本体１１ｏの上面に有する外側開口部１３ｏと内側湯たんぽ本体１１ｉの上面に有する内側開口部１３ｉとで構成している（図１（ａ）参照）。
【００４５】
さらに、上記蓋１２は、上記外側開口部１３ｏを覆う外蓋１２ｏと、上記内側開口部１３ｉを覆う内蓋１２ｉとで構成している。  
蓋１２（外蓋１２ｏ、内蓋１２ｉ）は、略直方体をした湯たんぽ本体１１（外側湯たんぽ本体１１ｏ、内側湯たんぽ本体１１ｉ）の上面全体を構成するよう平板状に構成している。
【００４６】
湯たんぽ本体１１の開口縁部（上端部）には、蓋１２を取り付けたとき、蓋１２（外蓋１２ｏ、内蓋１２ｉ）と湯たんぽ本体１１（外側湯たんぽ本体１１ｏ、内側湯たんぽ本体１１ｉ）の開口縁部との間に介在するよう平面視矩形をした枠型に形成した止水パッキン１４を取り付けている。
【００４７】
湯たんぽ１０には、蓋１２と湯たんぽ本体１１とを係脱自在に係止する係止部１５を備えている。係止部１５は、湯たんぽ本体１１と係止可能に蓋１２の外周縁部に形成した蓋側係止部１５Ａと、該蓋側係止部１５Ａに係止され、湯たんぽ本体１１の開口縁部に形成した本体側係止部１５Ｂとで構成している。
【００４８】
外蓋１２ｏの下面中央部には、上方から内蓋１２ｉを押圧可能な厚みを備えた内側蓋規制部材１６を設けている。
【００４９】
なお、内側蓋規制部材１６は、例えば、熱硬化性樹脂、ゴム、ウレタン、木材など様々な部材で構成することができる。
【００５０】
また、湯たんぽ１０は、使用者が内蓋１２ｉを内側湯たんぽ本体１１ｉに対して着脱する際、間隔構成空間Ｂに手を差込んで、係止部１５、或いは、その付近に、手を触れることができるよう、間隔構成空間Ｂには、十分なスペースを備えているとともに、リブ１９を間隔構成空間Ｂに配設している。
【００５１】
さらにまた、外側湯たんぽ本体１１ｏの側面には、該外側湯たんぽ本体１１ｏの内外を連通し、内部の熱を外部へ通気可能な複数の通気口１７を配設している。通気口１７は、いずれも外側湯たんぽ本体１１ｏの側面における、底面に対して所定の高さ（Ｈ）以上の位置に形成している（図１（ｂ）参照）。
【００５２】
上述した第一実施形態の湯たんぽ１０は、以下のような様々な作用、効果を奏することができる。  
上記湯たんぽ１０は、外蓋１２ｏと内蓋１２ｉとの２枚の蓋１２を備えた構成である。このため、仮に、外蓋１２ｏが外側湯たんぽ本体１１ｏから外れても内側開口部１３ｉは、内蓋１２ｉにより閉塞された状態であるため、内部空間Ａに貯液した湯がこぼれ出ることを防ぐことができる。
【００５３】
さらに、外蓋１２ｏには、内側蓋規制部材１６を備えているため、外蓋１２ｏは、外側開口蓋１２を閉塞するのに加えて、内側蓋規制部材１６により内蓋１２ｉが不測に開かないよう規制することができる。
【００５４】
詳しくは、内側湯たんぽ１０の内部空間Ａには、湯が貯水されるため、湯が内側開口部１３ｉから漏れないよう、内蓋１２ｉを、内側蓋規制部材１６により内側湯たんぽ本体１１ｉに対してしっかりと取り付けた状態を保つことで、内蓋１２ｉの止水性能を確保することができ、湯たんぽ１０から湯が零れ出ることを未然に防ぐことができる。
【００５５】
外蓋１２ｏは、外側湯たんぽ本体１１ｏに対して係止可能であり、それとともに、この係止力により内側蓋規制部材１６を介して外蓋１２ｏにより内蓋１２ｉを固定することができる。  
よって、内側湯たんぽ本体１１ｉ側の係止部１５と、外側湯たんぽ本体１１ｏ側の係止部１５とが協働して、内蓋１２ｉが内側湯たんぽ本体１１ｉに対して外れないようしっかりと係止することができる。
【００５６】
従って、内部空間Ａに貯水した湯の熱により内部空間Ａの空気が膨張し、空気圧が高くなっても、内側蓋規制部材１６により内蓋１２ｉが不測に外れないようしっかりと規制した状態を保つことができ、優れた止水性能を得ることができる。
【００５７】
また、湯たんぽ１０は、外側湯たんぽ本体１１ｏと内側湯たんぽ本体１１ｉとの２層構造で構成し、外側湯たんぽ本体１１ｏと内側湯たんぽ本体１１ｉとの間の間隔構成空間Ｂにより空気層が構成される。このため、使用時には、例えば、内部空間Ａに湯を貯液した内側湯たんぽ本体１１ｉの外面に人体が直接的に接触することがなく、空気層により、熱を緩和させることで、低温火傷を防ぐことができる。
【００５８】
さらに、外側湯たんぽ本体１１ｏの外面に通気口１７を形成することにより、内側湯たんぽ本体１１ｉから伝導する熱を間隔構成空間Ｂに存在する空気によって、間隔構成空間Ｂの熱を通気口１７を通じてダイレクトに外部へ伝導することができ、優れた熱伝導性を得ることができる。
【００５９】
さらにまた、通気口１７は、いずれも外側湯たんぽ本体１１ｏの側面における、底面に対して所定の高さ（Ｈ）以上の位置に形成しているため、万一にも間隔構成空間Ｂに水分が残留していたとしても、その水分が外側湯たんぽ本体１１ｏの底面に貯水し、通気口１７を通じて外部へ漏れることがない。
【００６０】
また、蓋１２は、係止部１５の係止により取り付いているため、螺合式のように蓋１２を湯たんぽ本体１１に対して回動することなく蓋側係止部１５Ａを本体側係止部１５Ｂに対して係脱するだけで容易に着脱することができる。
【００６１】
さらにまた、内側開口部１３ｉ、外側開口部１３ｏは、それぞれ内側湯たんぽ本体１１ｉ、外側湯たんぽ本体１１ｏの上面全体に構成しているため、このような大きな開口部１３により、湯の出し入れを容易に行うことができる。
【００６２】
詳しくは、従来の湯たんぽは、螺合により栓を開口縁部に対して着脱する螺合式のものが殆どである。このような螺合式の湯たんぽは、開口部が、例えば、一般的なものであればφ２０ｍｍ（開口面積が１００πｍｍ２）程度であり、最大でもφ１００ｍｍ（開口面積が２５００πｍｍ２）程度という小さな口径で構成している。
【００６３】
このように開口部が小さい場合、例えば、湯を注ぎ込む際、ヤカンの口先から注がれた湯が開口部に完全に入り込まず、湯の一部が開口部の外側へ零れてしまうことがあった。
【００６４】
このような場合、火傷のおそれがあり危険であった。その他にも、最終的に湯たんぽ内部に貯溜した湯が所望の量を満たさないことや、零れた湯をふき取る手間を要するという難点があった。
【００６５】
また、上述したような事態にならないようヤカンから湯を注ぎ込む量を調節しながら注ぎ込む必要があり、面倒であり、時間も要していた。
【００６６】
これに対して、湯たんぽ１０は、開口部１３を大きく構成しているため、水の出し入れを短時間で安全に行なうことができる。さらに、開口部１３を大きく構成しても、上述したように２重構造で構成したり、内側蓋規制部材１６を設けるなどの対策を施しているため、優れた止水性能を確保することができる。
【００６７】
その他にも、湯たんぽ１０は、開口部１３が大きいため、内側湯たんぽ本体１１ｉに例えば、卵や氷といった物体を収容することができる。  
例えば、卵Ｅを収容する場合（図１（ｂ）参照）、湯を注ぐ際に、生卵を内部空間Ａに収容しておく。これにより、湯たんぽ１０を使用する過程で、湯の熱により温められた卵をゆで卵や温泉卵として食することもできる。  
さらに例えば、就寝前に内部空間Ａに湯を注ぐ際に卵をセットしておけば、就寝後に湯を排水する際には、卵をゆで卵や温泉卵として取り出すことができる。
【００６８】
さらにまた、湯たんぽ１０は、開口部１３が大きいため、開口部１３を通じて例えば、鉄やマルテンサイト構造のステンレス（１８ステンレス）といった、ＩＨヒータで加熱した板状の発熱体を内側湯たんぽ本体１１ｉの内部空間Ａに対して容易に出し入れすることができる。これにより、発熱体には、内側湯たんぽ本体１１ｉの底面全体に設置可能な大きなものを用いることができる。
【００６９】
従って、発熱体をＩＨヒータにより効果的に発熱させて内側湯たんぽ本体１１ｉに貯溜した水を温めることも可能となる。
【００７０】
また、湯たんぽ１０は、図２（ａ）に示すように、内側湯たんぽ本体１１ｉに収容可能なスポンジなどの吸水性部材１８を備えてもよい。  
この吸水性部材１８に水を吸収させることで、水の扱いを容易に行うことができる。  
詳しくは、内側湯たんぽ本体１１ｉにスポンジを収容しておき、その状態で湯を注ぎ込むことができる。湯たんぽ１０使用後は、吸水したスポンジごと取り出し、スポンジを絞ることでスムーズに排水することができる。このとき、湯は、スポンジに吸収されているため、不測に湯が拡散することがない。さらに、開口部１３が大きいため、スポンジの出し入れを容易に行うことができる。
【００７１】
なお、内側湯たんぽ本体１１ｉには、吸水性部材１８に限らず、電子レンジで加熱可能な蓄熱材を備えてもよい（図示せず）。蓄熱材としては、ポリエチレングリコール、ポリイソブチレンなどを用いることができる。
【００７２】
さらに、湯たんぽは、図２（ｂ）に示すように、補強用係止部５１（バックル）を付加した構成であってもよい。
【００７３】
補強用係止部５１は、湯たんぽ本体１１と係止可能に蓋１２の外周縁部に突片状に形成した補強用蓋側係止部５１Ａと、該補強用蓋側係止部５１Ａに係止され、湯たんぽ本体１１の開口縁部に形成した補強用本体側係止部５１Ｂとで構成している。
【００７４】
上記構成により、補強用係止部５１は、係止部１５とともに、蓋１２を強固にロックすることができ、内部の湯が漏れないよう、より一層、優れた止水性能を得ることができる。  
なお、補強用係止部５１は、外蓋１２ｏ、及び、外側湯たんぽ本体１１ｏの側、内蓋１２ｉ、及び、内側湯たんぽ本体１１ｉの側のうち少なくとも一方の側に構成することができる。
【００７５】
ここで、図２（ｂ）に示すような補強用係止部５１を備えた湯たんぽ１０について、「財団法人  製品安全協会」が定める「ゆたんぽの認定基準及び基準確認方法」（規格番号：ＣＰＳＡ  ００３３  改正・２０安全業Ｇ第４３号  ２００８年７月２２日）に規定される耐落下衝撃に関する基準確認方法に基いて落下試験を行なった。その結果、水漏れが一切なく、耐落下衝撃に関する認定基準を満たすことを確認できた。
【００７６】
上記耐落下衝撃に関する基準確認方法は、湯たんぽに満水容量の約９０％の水を入れ、１ｍの高さから、厚さ３０ｍｍの合板上に落下させたとき、水漏れのないことを目視及び感触感等により確認する方法である。  
なお、落下試験では、略直方体形状をした湯たんぽ１０の６面、及び、隅部（角部）の各箇所が合板上に当たるように湯たんぽ１０を複数回落下させた。
【００７７】
また、湯たんぽ１０は、補強用係止部５１を備えていることに加え、外側湯たんぽ本体１１ｏと内側湯たんぽ本体１１ｉとをリブ１９で連結した一体性に優れた構成をしていることも耐落下衝撃に関する認定基準を満たす要因として挙げることができる。
【００７８】
また、第一実施形態の湯たんぽ１０は、外側湯たんぽ本体１１ｏの外面に通気口１７を形成せず、間隔構成空間Ｂを密閉空間として構成してもよい。
【００７９】
以下では、他の実施形態における湯たんぽ２０，３０，４０について説明する。  
但し、以下で説明する湯たんぽ２０，３０，４０の構成のうち、上述した第一実施形態における湯たんぽ１０と同様の構成については、同一の符号を付して、その説明を省略する。
【００８０】
（第二実施形態）  
第二実施形態における湯たんぽ２０は、図３（ａ），（ｂ）に示すように直方体の箱型形状で構成している。
【００８１】
詳しくは、湯たんぽ２０は、箱型形状で構成し、開口部２３を有する湯たんぽ本体２１と、上記開口部２３を閉塞する蓋２２を備えている。
【００８２】
開口部２３は、直方体の箱型形状の正面全体に構成している。上記蓋２２は、開口部２３全体を閉塞可能な板状の蓋本体部２２Ａと、該蓋本体部２２Ａの両端側に一方向へ突出する側方閉塞部２２Ｂとで構成している。蓋２２は、蓋本体部２２Ａの幅方向の両側に有する側方閉塞部２２Ｂの基端部分を湯たんぽ本体２１の開口縁部に枢着し、枢着部２８を構成している。
【００８３】
側方閉塞部２２Ｂは、蓋２２を、枢着部２８を回動支点として外側へ枢動させたとき、蓋本体部２２Ａの幅方向の両側において、該蓋本体部２２Ａと湯たんぽ本体２１との間を閉塞するよう構成している。
【００８４】
なお、開口部２３の縁部には、蓋２２の枢動が阻害されないよう適宜、パッキン１４を設けている。
【００８５】
蓋２２の外面には、湯たんぽ本体２１から引き出し可能な凸状の摘み部２９を形成している（図３（ｂ）の一部拡大図参照）。
【００８６】
蓋２２と湯たんぽ本体２１には、蓋２２を湯たんぽ本体２１に係止するための係止部２５を設けている。  
係止部２５は、蓋１２の上端部に備えた蓋側係止部２５Ａと、該蓋側係止部２５Ａと係脱可能に湯たんぽ本体２１の開口縁部に備えた本体側係止部２５Ｂとで構成している（図３（ｂ）の一部拡大図参照）。上記係止部２５は、蓋２２の外面に露出しないよう形成している。
【００８７】
上記構成の湯たんぽ２０は、以下のような作用、効果を得ることができる。  
湯たんぽ２０に湯を注ぐ際には、まず、湯たんぽ２０を図３に示すような姿勢で平坦な台などに安定して載置する。
【００８８】
図４に示すように、使用者は、一方の手を、台に載置した湯たんぽ本体２１に添え、他方の手で摘み部２９を摘んで手前に引くと係止部２５の係止が解除され、開口部２３を容易に開くことができる。これにより、湯たんぽ２０は、上面側へ向けて大きく開口し、上記開口部２３と連通する上面開口部２３Ｕを構成することができる。
【００８９】
よって、使用者は、他方の手でヤカンなどを把持し、上面開口部２３Ｕに湯を注ぎ込むことができる。上面開口部２３Ｕは、上方を向いて大きく開口しているため、使用者は、湯がこぼれることなくスムーズに湯たんぽ本体２１の内部に湯を注ぎ込むことができる。
【００９０】
このとき、蓋２２は、開いた状態においては、漏斗として機能する。
【００９１】
詳しくは、蓋本体部２２Ａは、蓋２２が開いた状態において湯たんぽ本体２１の側面に対して外側へ傾斜した状態になるため、注ぎ込んだ湯が湯たんぽ本体２１の内部にスムーズに流入するよう案内することができる。側方閉塞部２２Ｂは、水が蓋本体部２２Ａの側方から流出しないようガイドすることができる。
【００９２】
また、上記湯たんぽ２０は、正面全体に、上記開口部２３を構成し、該開口部２３を閉塞する蓋２２を備えて構成したが、このように開口部、及び、蓋を面全体に構成するに限らず、例えば、正面や側面といった構成面における幅方向の一部分のみに開口部を構成し、該開口部を閉塞する蓋を備えた構成であってもよい。
【００９３】
（第三実施形態）  
第三実施形態における湯たんぽ３０は、図５、及び、図６（ａ），（ｂ），（ｃ）に示すような箱型形状で構成している。  
なお、図５は、湯たんぽ本体３１から後述する引出し開閉部材３２を引き出した状態の湯たんぽ３０の斜視図である。図６（ａ），（ｂ），（ｃ）は、湯たんぽ３０の幅方向に対する中央縦断面図である。
【００９４】
湯たんぽ３０は、直方体の箱型形状の湯たんぽ本体３１と、湯たんぽ本体３１内に収容され、湯たんぽ本体３１に対して引き出し可能な引出し開閉部材３２と、引出し開閉部材３２に枢着された枢動蓋３３とで構成している。
【００９５】
湯たんぽ本体３１は、図６（ｂ）に示すように、直方体の正面が開口した正面開口部３４Ａを構成している。なお、湯たんぽ本体３１の正面とは、図６中、湯たんぽ本体３１の左側端部側の面を示す。
【００９６】
引出し開閉部材３２は、直方体の上面が３分の１程度の大きさで開口した箱型形状で構成している。
【００９７】
これにより、引出し開閉部材３２は、湯たんぽ本体３１の正面開口部３４Ａから引き出したとき、引出し開閉部材３２の引き出し部分の上面に上面開口部３４Ｂが構成されるよう構成している。枢動蓋３３は、上面開口部３４Ｂを閉塞可能であるとともに、外側へ枢動させたとき、正面側斜め上方へ向けて開口する斜方開口部３４Ｃが構成されるよう引出し開閉部材３２の上面開口部３４Ｂの縁部に枢着部２８により枢着されている。
【００９８】
湯たんぽ本体３１の内部と引出し開閉部材３２の左右両側面には、例えば、引出し開閉部材３２の長手方向長さの略３分の１程度の所定量だけ引き出したとき、それ以上、引出し開閉部材３２を引き出し不能に規制する一対のスライド規制部材３６ａ，３６ｂを設けている。
【００９９】
一対のスライド規制部材３６ａ，３６ｂのうち一方のスライド規制部材３６ａは、湯たんぽ本体３１の左右各側面の内面に引出し開閉部材３２側へ向けて突出した突状に形成している。  
一対のスライド規制部材３６ａ，３６ｂのうち他方のスライド規制部材３６ｂは、引出し開閉部材３２の左右各側面の外面に湯たんぽ本体３１側へ向けて突出し、一方のスライド規制部材３６ａと係合可能に突出した突状に形成している。
【０１００】
枢動蓋３３は、枢動蓋本体３３Ａと、該枢動蓋本体３３Ａの幅方向の両側に有する側方閉塞部３３Ｂとで構成している。  
さらに、湯たんぽ本体３１、引出し開閉部材３２、枢動蓋３３には、適宜、パッキン１４を備えている。
【０１０１】
さらにまた枢動蓋３３と湯たんぽ本体３１には、枢動蓋３３を引出し開閉部材３２に係止するための係止部３５を設けている。  
係止部３５は、枢動蓋３３の上端部に備えた蓋側係止部３５Ａと、該蓋側係止部３５Ａと係脱可能に湯たんぽ本体２１の開口縁部にパッキン１４の一部を凹状に形成した本体側係止部３５Ｂとで構成している。上記係止部３５は、湯たんぽ本体３１の外面に露出しないよう形成している。
【０１０２】
上記構成の湯たんぽ３０は、以下のような作用、効果を得ることができる。  
湯たんぽ３０に湯を注ぐ際には、まず、湯たんぽ３０を図６（ｂ）に示すように、一方の手で摘み部２９を摘んでスライド規制部材３６ａ，３６ｂとが係合することによりスライド規制されるまで湯たんぽ本体３１に対して引出し開閉部材３２を引き出す。
【０１０３】
このとき、上面開口部３４Ｂは、枢動蓋３３により閉塞され、湯たんぽ本体３１内部の内部空間Ａは密閉された状態である。
【０１０４】
続いて、枢動蓋３３を枢動させて図６（ｃ）に示すように、斜方開口部３４Ｃを開口する。
【０１０５】
これにより、図７に示すように、使用者は、一方の手で湯たんぽ本体３１を把持し、他方の手でヤカンを把持して、該ヤカンの注ぎ口から斜方開口部３４Ｃに、湯を注ぎ込むことができる。
【０１０６】
このように斜方開口部３４Ｃは、大きく開口することができるため、湯を注ぎ込む際に湯がこぼれることなく、確実に注ぎ込むことができる。しかも、枢動蓋３３は、枢動蓋本体３３Ａが注ぎ込んだ湯を内部空間Ａへと案内するとともに、湯が枢動蓋本体３３Ａの側方から外側へこぼれないよう側方閉塞部３３Ｂによりガイドすることができる。
【０１０７】
同様に湯を排出する際も、開口部２３が大きいため、傾けるだけで一気に排水することができる。
【０１０８】
さらにまた、湯たんぽ３０は、引出し開閉部材３２を引き出し、枢動蓋３３を枢動させるという２段階の開閉操作を経て開口部２３を開閉する必要があり、さらに、その２段階の開閉操作は、引出しと枢動という異なる方向への力を付与して開閉する必要があるため、不測な外力が作用した場合においても開口部２３が開口してしまうことがない。
【０１０９】
（第四実施形態）  
第四実施形態における湯たんぽ４０は、図８、及び、図９（ａ），（ｂ），（ｃ），（ｄ），（ｅ）に示すような箱型形状で構成している。  
図８は、上記湯たんぽ４０の斜視図であり、特に、図９（ａ），（ｃ），（ｅ）は、それそれ湯たんぽ４０の幅方向の中央縦断面図であり、図９（ｂ）は、一部拡大して示した図９（ｃ）のＡ−Ａ線断面図であり、図９（ｄ）は、図９（ｅ）の正面図である。
【０１１０】
湯たんぽ４０は、上面が全体の３分の１程度開口した上面開口部４４Ａを有する直方体の箱型形状の湯たんぽ本体４１と、上面開口部４４Ａを閉塞可能に上面に備えたスライド蓋４２と、上面開口部４４Ａを閉塞可能であるとともに、正面側斜め上方へ開口可能に上面開口部４４Ａの内側縁部に枢着された枢動蓋４３とで構成している。
【０１１１】
湯たんぽ４０は、図９（ｂ）に示すように、湯たんぽ本体４１の上面においてスライド蓋４２が長手方向へスライド可能に湯たんぽ本体４１とスライド蓋４２とを係合するスライド係止部４５を形成している。
【０１１２】
スライド係止部４５は、スライド蓋４２の幅方向の両側において湯たんぽ本体４１に係合される蓋側スライド係止部４５Ａと、該蓋側スライド係止部４５Ａに係合され、湯たんぽ本体４１の上面の幅方向両側部分に形成する本体側スライド係止部４５Ｂとで構成している。
【０１１３】
湯たんぽ４０は、図８、及び、図９（ｂ）の一部拡大図に示すように、スライド蓋４２を湯たんぽ本体４１に対してスライドさせたとき、上面開口部４４Ａが閉口された位置に位置決めする位置決め規制部６２を備えている。
【０１１４】
位置決め規制部６２は、スライド蓋４２の蓋側スライド係止部４５Ａ近傍の所定位置に湯たんぽ本体４１と係合可能な位置決め凹部６２Ａと、湯たんぽ本体４１の本体側スライド係止部４５Ｂ近傍の所定位置に位置決め凹部６２Ａと係合可能に構成した位置決め突起部６２Ｂとで構成している。
【０１１５】
枢動蓋４３は、湯たんぽ本体４１の開口縁部に上面開口部４４Ａを開閉可能に枢着部２８によって枢着され、枢動蓋本体４３Ａと、該枢動蓋本体４３Ａの幅方向の両側に有する側方閉塞部４３Ｂとで構成している。  
なお、本体側スライド係止部４５Ｂと蓋側スライド係止部４５Ａとの間、上面開口部４４Ａ、枢着部２８付近には、パッキン１４を適宜備え、蓋２２閉塞時の止水性を確保している。
【０１１６】
さらにまた枢動蓋４３と湯たんぽ本体４１には、枢動蓋４３を湯たんぽ本体４１に係止するための係止部４９を設けている。  
係止部４９は、枢動蓋４３の上端部に備えた蓋側係止部４９Ａと、該蓋側係止部４９Ａと係脱可能に湯たんぽ本体４１の開口縁部にパッキン１４の一部を凹状に形成した本体側係止部４９Ｂとで構成している。上記係止部４９は、湯たんぽ本体４１の外面に露出しないよう形成している。
【０１１７】
上記構成の湯たんぽ４０は、以下のような作用、効果を得ることができる。  
湯たんぽ４０に湯を注ぐ際には、まず、湯たんぽ４０を図９（ａ）に示す状態から図９（ｂ），（ｃ）に示すように、スライド蓋４２をスライドさせる。
【０１１８】
このとき、上面開口部４４Ａは、枢動蓋４３により閉塞され、湯たんぽ本体４１内部は密閉された状態である（図８参照）。
【０１１９】
続いて、図９（ｄ），（ｅ）に示すように、枢動蓋４３を外側へ枢動させることで正面側斜め上方へ向けて開口する斜方開口部４４Ｂを構成することができ、該斜方開口部４４Ｂを通じて湯の出し入れを行うことができる。
【０１２０】
このように湯たんぽ４０は、上述と同様に、スライド蓋４２をスライドさせ、枢動蓋４３を枢動させるという２段階の異なる開閉操作を経て斜方開口部４４Ｂを開閉する構造であるため、万一にも、湯たんぽ４０自体に不測な外力が作用した場合でも斜方開口部４４Ｂが開口してしまうことがなく、優れた止水性を確保することができる。
【０１２１】
上述した実施形態と、この発明の構成との対応において、
蓋１２，２２、引出し開閉部材３２、枢動蓋３３，４３、スライド蓋４２は、開閉手段に対応し、
係止部１５，２５，３５，４９、補強用係止部５１、スライド係止部４５は、係止手段（外側係止手段、内側係止手段）に対応し、
スライド蓋４２は、スライド開閉蓋に対応し、
枢動蓋３３，４３は、枢動開閉蓋に対応し、
外蓋１２ｏ、引出し開閉部材３２、スライド蓋４２は、外側開閉蓋に対応し、
内蓋１２ｉ、枢動蓋３３，４３は、内側開閉蓋に対応し、
内側蓋規制部材１６は、内側開閉蓋規制手段に対応し、
通気口１７は、通気部に対応するものとする。
【０１２２】
また、本発明の湯たんぽは、上述した実施形態ように様々な構成で構成することができるが、その他にも、様々な構成で構成することができる。
【０１２３】
例えば、上述した湯たんぽ２０，３０，４０には、開閉手段を開方向、或いは、閉方向に付勢する弾性手段を具備してよい。弾性手段は、例えば、バネ、ゴムで形成することができる。弾性手段をバネで形成する場合、コイルバネ、トーションバネ、板バネなど様々なものを用いることができる。  
例えば、第二実施形態の湯たんぽ２０に弾性手段を備えた場合、以下のように構成することができる（図示せず）。
【０１２４】
蓋２２の枢着部２８の付近に、該蓋２２が開方向に枢動するよう付勢するトーションバネを備えた場合、蓋２２を開く際には、摘み部２９を摘んで蓋２２を軽く引き出すと、バネの付勢力により蓋２２は自発的に枢動し、容易に上面開口部２３Ｕを開口することができる。
【０１２５】
さらに、蓋２２を開いた状態に付勢できるため湯を注ぎ込む際に蓋２２がガタツついたり、不測に閉じてしまうことがなく、安定して湯を注ぎ込むことができる。
【０１２６】
これに対して、蓋２２の枢着部２８の付近に、該蓋２２が閉方向に枢動するよう付勢するトーションバネを備えた場合には、湯を注ぎ込む際は、蓋２２が閉まらないよう蓋２２を開いた状態に保持しながら湯を注ぎ込む。
【０１２７】
そして、万が一、湯を注いでいる間に、手が滑るなどして把持している湯たんぽ４０が手から離れて落下した場合、バネの付勢力により自発的に蓋２２が閉まるよう可動し、内部空間Ａに有する湯が零れ出す量を最小限に留めることができる。
【０１２８】
このように、湯たんぽに備える弾性手段は、開閉手段が開く方向へ付勢する構成、或いは、閉じる方向へ付勢する構成のいずれであってもよく、また、枢動開閉蓋に限らず、引出し開閉部材やスライド開閉蓋に、開方向、或いは、閉方向へスライドするスライド方向に付勢する弾性手段を備えてもよい。
【符号の説明】
【０１２９】
１０，２０，３０，４０…湯たんぽ
１１，２１，３１，４１…湯たんぽ本体
１１ｏ…外側湯たんぽ本体
１１ｉ…内側湯たんぽ本体
１２，２２…蓋
１２ｏ…外蓋
１２ｉ…内蓋
１３，２３…開口部
１３ｏ…外側開口部
１３ｉ…内側開口部
１５，２５，３５，４９…係止部
１６…内側蓋規制部材
１７…通気口
２２Ｂ，３３Ｂ，４３Ｂ…側方閉塞部
３２…引出し開閉部材
３３，４３…枢動蓋
４２…スライド蓋
４５…スライド係止部
５１…補強用係止部
Ａ…内部空間
【図１】
2010213762.tif 000003
【図２】
2010213762.tif 000004
【図３】
2010213762.tif 000005
【図４】
2010213762.tif 000006
【図５】
2010213762.tif 000007
【図６】
2010213762.tif 000008
【図７】
2010213762.tif 000009
【図８】
2010213762.tif 000010
【図９】
2010213762.tif 000011